(57)【要約】      （修正有）【課題】室内に設置された書棚、箪笥等の家具、設備機器等が地震などにより転倒するのを防止することができる転倒防止装置を提供する。【解決手段】転倒防止装置１を、家具２等の上面３に基板４が当接するように載置させる。各ナット１７を矢印の向きに回転しねじ込むことにより、各ネジ軸１４を天井１０方向に進ませる。一端１５をネジ受凹部１３に挿入させ、上板９を４本のネジ軸１４に載せ、ネジ受凹部１３を介して上板９を天井１０の下面１１に当接させる。ネジ軸１４はナット１７の締付力により側板７、７へ保持固定される。これにより家具２等は基板４で、天井１０の下面１１は上板９で各々押圧されることにより、家具２等は転倒防止装置１により、広範囲にわたり均一に且つ安定した状態で保持でき、地震時の縦揺れ、横揺れに対しても転倒を防止できる。また急激な揺れに対しても転倒防止装置１自体が外れたりすることを防ぐことができる。【選択図】図１０
0003110450.tif 000002
【実用新案登録請求の範囲】
【請求項１】
家具等の上面に当接される基板と、
この基板に間隔をもって対向するように立設されると共に、立設された各々の各上端面から下方に向かい少なくとも２つずつのネジ挿入穴を形成した少なくとも２つの側板と、
前記基板および前記側板の上方にあって、これらと対向し天井の下面に当接されると共に、前記側板の一方の側板の各ネジ挿入穴に対応する位置および他方の側板の各ネジ挿入穴に対応する位置に、各々ネジ受凹部を形成した上板と、
一端が前記上板のネジ受凹部に、他端側が前記側板のネジ挿入穴に挿入される少なくとも４本のネジ軸と、
このネジ軸にねじ込まれ、ねじ込み操作により前記ネジ軸を前記天井に対して進退させ、前記ネジ軸の一端で前記ネジ受凹部を介して前記上板を前記天井の下面に当接させた状態において、前記ネジ軸を前記側板に保持固定させる少なくとも４つのナットとを備えていることを特徴とする転倒防止装置。
【請求項２】
ネジ軸は、ネジ挿入穴に挿入される部分に回り止めのための突部を設けるようにしたことを特徴とする請求項１記載の転倒防止装置。
【請求項３】
側板に、一方の側板と他方の側板とを連結する背板を設けるようにしたことを特徴とする請求項１記載の転倒防止装置。
【請求項４】
基板、各側板および上板とで形成される空間に、この空間を仕切る棚を設けるようにした請求項１記載の転倒防止装置。
【考案の詳細な説明】
【技術分野】
【０００１】
本考案は、室内に設置された書棚、箪笥等の家具、設備機器等が地震などにより転倒するのを防止するための転倒防止装置に関する。
【背景技術】
【０００２】
従来の家具等の転倒防止装置としては、ネジ機構、つまり、ナットにねじ込まれたネジシャフトが直線運動をする機構を応用した転倒防止装置（例えば特許文献１参照）がある。
この転倒防止装置は、家具の上面および天井の下面の各々一部に当接する各ベースに１本のネジシャフトを固定し、このネジシャフトをナットにより進退させ家具を押圧し転倒防止をするものである。
【０００３】
しかし、この転倒防止装置では、家具と天井の一部を１本のネジシャフトにより部分的に押圧しているのみであるため、揺れが縦方向の地震では効果があるが、横方向の揺れに対しては、ぐらつき不安定となり充分な転倒防止ができなく、特に急激な横揺れを伴う地震では、転倒防止装置自体が外れてしまい、転倒防止を確実に行なえない欠点があった。
【特許文献１】実用新案登録第３０２１１３６号  公報
【考案の開示】
【考案が解決しようとする課題】
【０００４】
本考案は、前記した問題点を解決するためになされたもので、縦揺れ、あるいは横揺れを伴う地震などに対しても、家具等の転倒を防止できると共に、設置した家具等の上面と天井との間の空間をより有効に活用することもできるようにした転倒防止装置を提供することを目的とする。
【課題を解決するための手段】
【０００５】
前記した問題を解決するための本考案の手段は、家具等の上面に当接される基板と、この基板に間隔をもって対向するように立設されると共に、立設された各々の各上端面から下方に向かい少なくとも２つずつのネジ挿入穴を形成した少なくとも２つの側板と、前記基板および前記側板の上方にあって、これらと対向し天井の下面に当接されると共に、前記側板の一方の側板の各ネジ挿入穴に対応する位置および他方の側板の各ネジ挿入穴に対応する位置に、各々ネジ受凹部を形成した上板と、一端が前記上板のネジ受凹部に、他端側が前記側板のネジ挿入穴に挿入される少なくとも４本のネジ軸と、このネジ軸にねじ込まれ、ねじ込み操作により前記ネジ軸を前記天井に対して進退させ、前記ネジ軸の一端で前記ネジ受凹部を介して前記上板を前記天井の下面に当接させた状態において、前記ネジ軸を前記側板に保持固定させる少なくとも４つのナットとを備えているものである。
【０００６】
また請求項２記載の転倒防止装置は、請求項１記載の転倒防止装置において、ネジ軸は、ネジ挿入穴に挿入される部分に回り止めのための突部を設けるようにしものである。
【０００７】
また請求項３記載の転倒防止装置は、請求項１記載の転倒防止装置において、側板に、一方の側板と他方の側板とを連結する背板を設けるようにしたものである。
【０００８】
また請求項４記載の転倒防止装置は、請求項１記載の転倒防止装置において、基板、各側板および上板とで形成される空間に、この空間を仕切る棚を設けるようにしたものである。
【考案の効果】
【０００９】
請求項１記載の転倒防止装置によれば、基板と、少なくとも２つの側板と、これら基板および側板の上方に設けた上板と、この上板と側板との間に介在させた、少なくとも４本のネジ軸と、このネジ軸にねじ込まれ、ネジ軸で上板を天井の下面に当接した後、ネジ軸を側板に保持固定させる少なくとも４つのナットとを設け、転倒防止装置を構成するようにしたため、家具の上面および天井下面を広範囲にわたり均一に且つ安定した状態で押圧保持できる。そのため地震時の縦揺れに対しても、また前後、左右、斜め等の横揺れに対しても家具等の転倒を防止できると共に、急激な揺れに対しても転倒防止装置自体が家具等と天井との間から外れを防ぎ、さらに、ネジ軸の押圧力が分散されるため、家具等の上面や天井下面の傷付けを防止することができる。
【００１０】
また、請求項２記載の転倒防止装置によれば、ネジ軸に回り止めのための突部を設けるようにしたため、ネジ軸の空転を防止できる。そのためネジ軸を進退させる際、ネジ軸を手で保持することなく、単にナットを回転させるだけで行なえ、転倒防止装置の取付を簡単にできる。
【００１１】
また、請求項３記載の転倒防止装置によれば、側板と側板とを連結する背板を設けるようにしたため、転倒防止装置自体の強度をより向上できると共に、基板、各側板、上板とで形成される空間を物品を収納する収納室として利用できる効果をも有する。
【００１２】
さらに、請求項４記載の転倒防止装置によれば、基板、各側板、上板とで形成される空間に棚を設けるようにしたため転倒防止装置自体を物品の載置棚としても利用できる。そのため家具等の上面と天井との空間をより有効活用できる。
【実施例１】
【００１３】
以下、本考案の一実施例の転倒防止装置を図１乃至図１０に従って説明する。
１は室内に設置された書棚、箪笥等の家具、設備機器等が地震などにより転倒するのを防止する転倒防止装置である。
この転倒防止装置１は家具２等の上面３に当接される基板４と、この基板４に間隔をもって対向するように立設されると共に、立設された各々の各上端面５、５から下方に向かい少なくとも２つずつのネジ挿入穴６、６および６、６を形成した少なくとも２つの側板７、７を設けている。ネジ挿入穴６は断面四角形状に形成され、側板７の下端面８まで貫通して設けてある。また９は基板４および側板７、７の上方にあって、これらと対向し天井１０の下面１１に当接されると共に、側板の一方の側板７の各ネジ挿入穴６、６に対応する位置および他方の側板７の各ネジ挿入穴６、６に対応する位置に、各々ネジ受凹部１３、１３、１３、１３を形成した上板である。
【００１４】
さらに、１４は、この上板９と各側板７、７との間に介在され、一端１５が上板９のネジ受凹部１３、１３、１３、１３に、他端１６側が側板７、７のネジ挿入穴６、６、６、６に挿入される少なくとも４本のネジ軸である。また１７、１７、１７、１７は、このネジ軸１４、１４、１４、１４にワッシャ１２を介してねじ込まれ、ねじ込み操作によりネジ軸１４を天井１０に対して進退させ、ネジ軸１４の一端１５でネジ受凹部１３を介して上板９を天井１０の下面１１に当接させた状態において、ネジ軸１４を側板７、７に保持固定させる少なくとも４つのナットである。
【００１５】
また、１８は一方の側板７と他方の側板７とを連結する背板であり、転倒防止装置１の強度をより向上させている。また、基板４、各側板７、７、上板９とで形成される空間２４を物品（図示せず）を収納する収納室として利用することができる。
一方、各ネジ軸１４には、ネジ挿入穴６に挿入される部分に回り止めのための突部１９を設けてある（図５及び図６参照）。この突部１９はネジ軸１４の軸線に直交するように明けた穴２０にピン２１を圧入し形成させてある。この突部１９はネジ軸１４がネジ挿入穴６内で空転しないよう、突部１９がネジ挿入穴６の内壁とネジ軸１４の回転方向にのみ干渉するような寸法にしてある。
従って、ナット１７のねじ込み操作により、ネジ軸１４を天井１０に対して進退させることができる。
なお、ワッシャ１２とナット１７との間にスプリング（図示せず）を設け、該スプリング（図示せず）の付勢力 によりネジ軸１４、１４、１４、１４をネジ受凹部１３、１３、１３、１３に押し付けるようにしても良い。
【００１６】
また、突部１９はピン２１を使うことなく、ネジ軸１４自体の一部分を軸線に直交する方向からプレスし突出させ異形状にさせ、この異形突出部分を突部１９としても良い（図７参照）。なお、ナット１７のねじ込み操作の際、ネジ軸１４を手で保持するようにすれば、突部１９も不要で、ネジ挿入穴６も断面円形状の穴で形成するだけの簡単な構成にすることもできる。さらにネジ挿入穴６は上端面５から下端面８にわたる貫通穴でなく、途中までの盲穴としてもよく、この場合の穴深さは、ネジ軸１４の進退の調整代寸法から適宜決めればよい。一方、基板４、側板７、７、背板１８、上板９は木材で形成され、図示しないが結合部は木ネジ等で組立してある。しかし、この製作材料は適宜材料でよく、例えば、合成樹脂材でもよく、この場合、基板４、側板７、７、背板１８は一体成形し製作できる。
【００１７】
次いで、以上のように構成する転倒防止装置１の作用を説明する。図１０は転倒防止装置１を室内２２の床２３に設置した家具２等に取付した状態を示す。つまり、図１に示すように構成する転倒防止装置１を、家具２等の上面３に基板４が当接するように載置させる。そして、図８に示すように、各ナット１７を矢印の向きに回転しねじ込むことにより、各ネジ軸１４を天井１０方向に進ませる。この場合、上板９をネジ軸１４から外しておくと、ナット１７のねじ込み操作が容易となる。そしてネジ軸１４の一端１５が天井１０に近ずいた時点で、図９のように各ネジ軸１４の一端１５をネジ受凹部１３に挿入させ、上板９を４本のネジ軸１４に載せる。しかる後、再び、ナット１７のねじ込み操作を行ない、ネジ受凹部１３を介して上板９を天井１０の下面１１に当接させる。当接後はネジ軸１４は天井１０方向への移動を阻止されるため、ネジ軸１４はナット１７の締付力により側板７、７へ保持固定される。これにより家具２等は基板４で、天井１０の下面１１は上板９で各々押圧されることにより、家具２等は転倒防止装置１により、広範囲にわたり均一に且つ安定した状態で保持でき、地震時の縦揺れ、横揺れに対しても転倒を防止できる。また急激な揺れに対しても転倒防止装置１自体が外れたりすることを防ぐことができる。
【００１８】
なお、図示しないが、転倒防止装置１は、取付の際、家具２等と基板４との間、上板９と天井１０の下面１１との間に、各々滑り止めシートを介在させれば、より一層、転倒防止効果が向上する。このシートは予め基板４、上板９に貼付させてもよい。また転倒防止装置１は本実施例では１つの家具２に１つ取付する場合を示したが、家具２等が大きな場合には、複数個設けてもよい。あるいは大きな家具２等に対応させて、転倒防止装置１自体も１つで対応できるよう、転倒防止装置１を大きな寸法のものに製作するようにしてもよい。
【実施例２】
【００１９】
次に、本考案の他の実施例の転倒防止装置（実施例２）について、上述した実施例１と同一部分に同一符号を付して、図１１に従って説明する。
この実施例２の転倒防止装置１は、基板４、各側板７、７および上板９とで形成される空間２４に、この空間２４を仕切る棚２５、２５を設けるようにしたものである。この棚２５は側板７、７に設けた溝２６、２６に差し込むようにしてある。
これにより転倒防止装置１を物品の載置棚として利用できる。つまり、家具２等の上面３と天井１０との空間を、より有効活用することが可能となる。
また、実施例１と同様、基板４、側板７、７、背板１８等を合成樹脂で製作する場合は、この棚２５も、これらと一体成形させてもよい。この場合もより強度を向上できる。これらの点以外は、この実施例２も実施例１と同様の作用効果をなす。
なお、溝２６、２６に仕切る棚２５、２５を差し込む代わりに、仕切る棚２５、２５の側面にダボピン（図示せず） を設け、このダボピン（図示せず）を側板７、７に設けたダボ用穴（図示せず）に嵌め込むようにして仕切る棚２５、２５を側板７、７に固定しても良い。
【図面の簡単な説明】
【００２０】
【図１】図１は、本考案の一実施例の転倒防止装置を示す概略的斜視図である。
【図２】図２は、図１を分解して示す概略的分解斜視図である。
【図３】図３は、図１の転倒防止装置を示す、一部のみを断面で示した使用状態を説明する概略的正面図である。
【図４】図４は、図３をＡ−Ａ線に沿って切断した概略的断面図である。
【図５】図５は、図４のＢで示す部分の概略的拡大図である。
【図６】図６は、図１の転倒防止装置のネジ軸の概略的斜視図である。
【図７】図７は、図６のネジ軸と異なる他の実施例のネジ軸の概略的斜視図である。
【図８】図８は、図１の転倒防止装置の使用状態を説明する要部の概略的分解斜視図である
【図９】図９は、図１の転倒防止装置の使用状態を説明する要部の概略的斜視図である。
【図１０】図１０は、図１の転倒防止装置の使用状態を示す、設置建物のみを断面で示した概略的側面図である。
【図１１】図１１は、図１の転倒防止装置と異なる他の実施例の転倒防止装置の概略的分解斜視図である。
【符号の説明】
【００２１】
１        転倒防止装置
２        家具
４        基板
６        ネジ挿入穴
７        側板
９        上板
10        天井
13        ネジ受凹部
14        ネジ軸
17        ナット
【図１】
0003110450.tif 000003
【図２】
0003110450.tif 000004
【図３】
0003110450.tif 000005
【図４】
0003110450.tif 000006
【図５】
0003110450.tif 000007
【図６】
0003110450.tif 000008
【図７】
0003110450.tif 000009
【図８】
0003110450.tif 000010
【図９】
0003110450.tif 000011
【図１０】
0003110450.tif 000012
【図１１】
0003110450.tif 000013